(57)【要約】【課題】  本発明は、主ミラーおよびサブミラーを備えたカメラ用ミラー装置およびカメラに関し、サブミラーの回動による衝撃を充分に吸収させ、同時に、サブミラーの先端を主ミラーに充分に接近させることを目的とする。【解決手段】  第１のミラーを保持する第１の保持部材を有しファインダー観察位置と露光退避位置との間を回動可能な主ミラーと、第２のミラーを保持する第２の保持部材を有し前記主ミラーに回動可能に配置されるサブミラーとを備え、前記第１の保持部材の側面に、前記サブミラーの前記主ミラー側への回動時に前記第２の保持部材に衝突し、前記サブミラーの回動による前記主ミラーへの衝撃を吸収する衝撃吸収部材を配置してなることを特徴とする。【選択図】      図３
2008090007.tif 000002
【特許請求の範囲】
【請求項１】
第１のミラーを保持する第１の保持部材を有しファインダー観察位置と露光退避位置との間を回動可能な主ミラーと、
第２のミラーを保持する第２の保持部材を有し前記主ミラーに回動可能に配置されるサブミラーとを備え、
前記第１の保持部材の側面に、前記サブミラーの前記主ミラー側への回動時に前記第２の保持部材に衝突し、前記サブミラーの回動による前記主ミラーへの衝撃を吸収する衝撃吸収部材を配置してなることを特徴とするカメラ用ミラー装置。
【請求項２】
請求項１記載のカメラ用ミラー装置において、
前記衝撃吸収部材を、前記主ミラーの回動方向の両側のいずれか一方の側面に配置してなることを特徴とするカメラ用ミラー装置。
【請求項３】
請求項１または請求項２記載のカメラ用ミラー装置において、
前記衝撃吸収部材は、円形状をしており、中心部を前記第１の保持部材の側面にピン部材により固定されていることを特徴とするカメラ用ミラー装置。
【請求項４】
請求項１ないし請求項３のいずれか１項記載のカメラ用ミラー装置を有することを特徴とするカメラ。
【発明の詳細な説明】
【技術分野】
【０００１】
本発明は、主ミラーおよびサブミラーを備えたカメラ用ミラー装置およびカメラに関する。
【背景技術】
【０００２】
従来、一眼レフレックス型のカメラのミラー装置として、ファインダー観察位置と露光退避位置との間を回動可能な主ミラーの裏側に、サブミラーを回動可能に配置し、主ミラーからの光を測距素子に導く構造のものが知られている。
このようなミラー装置では、主ミラーの露光退避位置への回動時に、サブミラーが主ミラー側に回動され、主ミラーとサブミラーとが略平行にたたまれた状態になる。そして、この時にサブミラーが主ミラーに衝突し、その衝撃により衝撃音が発生する。そこで、従来、サブミラーの回動中心から遠い先端側に衝撃吸収部材を設け衝撃音の発生を防止することが行われている。
【特許文献１】特開平５−４５７２３号公報
【発明の開示】
【発明が解決しようとする課題】
【０００３】
しかしながら、従来のミラー装置では、衝撃吸収効果を増大するために衝撃吸収部材の肉厚を増大すると、サブミラーの先端を主ミラーに充分に接近させることが困難になるという問題があった。すなわち、サブミラーの先端を主ミラーに充分に接近させないと、サブミラーの先端を露光光路から退避させるために、ミラー装置を大きく移動する必要が生じ、ミラーアップ時間が増大する。
【０００４】
本発明は、かかる従来の問題を解決するためになされたもので、サブミラーの回動による衝撃を充分に吸収することができるとともに、サブミラーの先端を主ミラーに充分に接近させることができるカメラ用ミラー装置およびカメラを提供することを目的とする。
【課題を解決するための手段】
【０００５】
第１の発明のカメラ用ミラー装置は、第１のミラーを保持する第１の保持部材を有しファインダー観察位置と露光退避位置との間を回動可能な主ミラーと、第２のミラーを保持する第２の保持部材を有し前記主ミラーに回動可能に配置されるサブミラーとを備え、前記第１の保持部材の側面に、前記サブミラーの前記主ミラー側への回動時に前記第２の保持部材に衝突し、前記サブミラーの回動による前記主ミラーへの衝撃を吸収する衝撃吸収部材を配置してなることを特徴とする。
【０００６】
第２の発明のカメラ用ミラー装置は、第１の発明のカメラ用ミラー装置において、前記衝撃吸収部材を、前記主ミラーの回動方向の両側のいずれか一方の側面に配置してなることを特徴とする。
第３の発明のカメラ用ミラー装置は、第１または第２の発明のカメラ用ミラー装置において、前記衝撃吸収部材は、円形状をしており、中心部を前記第１の保持部材の側面にピン部材により固定されていることを特徴とする。
【０００７】
第４の発明のカメラは、第１ないし第３の発明のいずれか１のカメラ用ミラー装置を有することを特徴とする。
【発明の効果】
【０００８】
本発明では、サブミラーの回動による衝撃を充分に吸収することができるとともに、サブミラーの先端を主ミラーに充分に接近させることができる。
【発明を実施するための最良の形態】
【０００９】
以下、本発明の一実施形態を図面を用いて詳細に説明する。
図１および図２は、本発明のミラー装置が配置される一眼レフレックス型のカメラを示している。
このカメラ１１は、撮影レンズ(不図示)が着脱自在に装着されるマウント１３を有している。マウント１３の開口部の中心軸に沿って、ミラー装置１５、シャッタ(不図示)、撮像素子(不図示)が配置されている。なお、撮像素子の代わりにフィルム(不図示)を配置しても良い。ミラー装置１５の上方にはファインダ光学系１７が配置され、下方には測距モジュール１９が配置されている。
【００１０】
ミラー装置１５は、主ミラー２１、サブミラー２３を有している。
主ミラー２１は、回動軸２５によりミラーボックス２７に回動可能に軸支されており、観察位置(図１の位置)と露光退避位置(図２の位置)とを切り替え可能となっている。観察位置の主ミラー２１は、主ミラー規制ピン２９により回動を規制され、シャッタ(不図示)および撮像素子(不図示)の前方で傾斜配置される。この観察位置での主ミラー２１は、マウント１３の開口部を通過した被写界の光束を上方へ反射してファインダ光学系１７に導く。
【００１１】
一方、露光退避位置の主ミラー２１は、図２に示すように、上方に跳ね上げられて撮影光路から外れた位置にある。露光退避位置の主ミラー２１は、ファインダ光学系１７から入射する外部の光束を遮光する役割も果たす。
サブミラー２３は、回動軸３１(図２に示す)により主ミラー２１に回動可能に軸支されており、測距位置と露光退避位置とを切り替え可能となっている。測距位置のサブミラー２３は、図１に示すように、サブミラー規制ピン３３により回動を規制され、主ミラー２１の裏側に主ミラー２１に対して略直角に配置される。この測距位置でのサブミラー２３は、主ミラー２１を通過した被写界の光束を測距モジュール１９に導く。なお、測距モジュール１９の構成については、種々の提案がなされており公知のため、詳細な説明を省略する。
【００１２】
一方、露光退避位置のサブミラー２３は、図２に示すように、主ミラー２１側に回動され主ミラー２１と略平行に位置している。この状態では、主ミラー２１およびサブミラー２３は撮影光路から外れた位置にある。主ミラー２１およびサブミラー２３が露光退避位置にあるときは、マウント１３の開口部からの光束がシャッタ(不図示)および撮像素子(不図示)に導かれることになる。
【００１３】
ファインダ光学系１７は、拡散スクリーン３５、コンデンサレンズ３７、ペンタプリズム３９、接眼レンズ４１を有している。拡散スクリーン３５は主ミラー２１の上方に位置し、観察位置の主ミラー２１で反射された光束を一旦結像させる。拡散スクリーン３５上で結像した光束はコンデンサレンズ３７およびペンタプリズム３９を通過し、ペンタプリズム３９の入射面に対して９０°偏向した射出面から接眼レンズ４１に導かれる。そのため、主ミラー２１が観察位置にあるときには、マウント１３の開口部からの光束が接眼レンズ４１を介してユーザーの目に到達することになる。
【００１４】
図３は、ミラー装置１５の詳細を示している。
主ミラー２１は、第１のミラー４３、第１の保持部材４５を有している。
第１のミラー４３は、矩形形状をしており、ハーフミラーからなる。主ミラー２１が観察位置に位置している時には、マウント１３の開口部を通過した被写界の光束の半部を、上方へ反射してファインダ光学系１７に導く。また、残りの半部の光束をサブミラー２３を介して測距モジュール１９に導く。
【００１５】
第１の保持部材４５は、矩形環状をしており、内面に第１のミラー４３を保持している。第１の保持部材４５の一側は、回動軸２５によりミラーボックス２７に回動可能に軸支されている。第１の保持部材４５の回動方向の両側となる側面部４５ａの一方には、主ミラー２１を図示しない駆動機構により駆動するための駆動軸４５ｂが突設されている。
第１の保持部材４５の両側の側面部４５ａは、ファインダ光学系１７側に突出されている。一方の側面部４５ａの先端側には、ゴム、モルト等からなる衝撃吸収部材４７が配置されている。衝撃吸収部材４７は、所定の肉厚を有する円形状をしている。衝撃吸収部材４７の中心は、ピン部材４９により第１の保持部材４５の側面部４５ａに固定されている。このように、円形状の衝撃吸収部材４７の中心をピン部材４９により第１の保持部材４５に固定することにより、衝撃吸収部材４７のサブミラー２３側の外周位置を高い精度で設定位置に位置させることが容易に可能になる。
【００１６】
サブミラー２３は、第２のミラー５１、第２の保持部材５３を有している。
第２のミラー５１は、矩形形状の全反射ミラーからなる。そして、サブミラー２３が測距位置に位置している時には、ハーフミラーからなる第１のミラー４３を透過した光束を測距モジュール１９に導く。
第２の保持部材５３は、矩形環状をしており、内面に第２のミラー５１を保持している。第２の保持部材５３の回動方向の両側となる側面部５３ａの一方には、第１の保持部材４５側に突出する突出部５３ｂが形成されている。そして、この突出部５３ｂが回動軸３１により第１の保持部材４５に回動可能に軸支されている。また、側面部５３ａは、第１の保持部材４５側に突出されている。
【００１７】
第２の保持部材５３は、トグルバネ５５により、第１の保持部材４５側およびその反対側に付勢可能とされている。トグルバネ５５は、第１の保持部材４５に形成される軸部４５ｃに支持されている。トグルバネ５５の一端は、第１の保持部材４５の回動軸２５側に当接し、他端は、第２の保持部材５３の突出部５３ｂの内側に形成されるピン部５３ｃに当接している。
【００１８】
上述したカメラ用ミラー装置では、ミラー装置１５が観察位置に位置している時には、図３および図４に示すように、サブミラー２３の先端がトグルバネ５５により開方向に付勢され、主ミラー２１の裏側に主ミラー２１に対して略直角に位置している。一方、ミラー装置１５を露光退避位置側に移動すると、中立点においてトグルバネ５５の付勢方向が反転し、図５に示すように、サブミラー２３の先端が閉方向に付勢される。この閉方向への付勢により、サブミラー２３の先端が、主ミラー２１側に回動され、第２の保持部材５３の側面部５３ａの端面が、第１の保持部材４５の側面部４５ａに配置される衝撃吸収部材４７に衝突して停止する。そして、露光退避位置では、図５に示すように、主ミラー２１と略平行に位置する。
【００１９】
上述したカメラ用ミラー装置では、第１の保持部材４５の側面部４５ａの外側に衝撃吸収部材４７を設け、サブミラー２３の主ミラー２１側への回動時に、第２の保持部材５３の側面部５３ａの端面を衝撃吸収部材４７に衝突させるようにしたので、サブミラー２３の回動による衝撃を充分に吸収することができるとともに、サブミラー２３の先端を主ミラー２１に充分に接近させることができる。
【００２０】
すなわち、第１の保持部材４５の側面部４５ａの外側に衝撃吸収部材４７を設けるようにしたので、衝撃吸収部材４７における第２の保持部材５３の側面部５３ａが衝突する方向の幅(実施形態では衝撃吸収部材４７の直径)を比較的大きくとることが可能になる。そして、衝突する方向の幅を大きくすることにより、第２の保持部材５３の側面部５３ａが衝突した時の衝撃力をより確実に吸収することが可能になり、サブミラー２３の回動による衝撃を充分に吸収することが可能になる。なお、より具体的には、衝撃吸収部材４７の硬度により衝撃吸収効果も変化する。そして、衝撃吸収部材４７の最適な幅と硬度は、第２の保持部材５３の回転モーメント、回転速度等に基づいて決定される。
【００２１】
また、第１の保持部材４５の側面部４５ａの外側に衝撃吸収部材４７を設けるようにしたので、衝撃吸収部材４７の位置を比較的自由に設定することが可能になる。そして、衝撃吸収部材４７の位置を、衝撃力を充分に吸収することが可能で、かつ、第２の保持部材５３の先端が第１の保持部材４５側に最接近する位置に設定することにより、サブミラー２３の先端を主ミラー２１に充分に接近させることができる。これにより、サブミラー２３の先端を撮影光路から退避させるために、ミラー装置１５を大きく移動する必要がなくなり、ミラーアップ時間を短縮することが可能になる。また、退避するためのスペースが小さくなりカメラを小型化することが可能になる。
(実施形態の補足事項)
以上、本発明を上述した実施形態によって説明してきたが、本発明の技術的範囲は上述した実施形態に限定されるものではなく、例えば、以下のような形態でも良い。
【００２２】
(１)上述した実施形態では、衝撃吸収部材４７を円形状にした例について説明したが、例えば、矩形状、楕円状等にしても良い。
(２)上述した実施形態では、衝撃吸収部材４７をピン部材４９により第１の保持部材４５に固定した例について説明したが、例えば、接着剤等により固定しても良い。
(３)上述した実施形態では、衝撃吸収部材４７をピン部材４９により第１の保持部材４５に単に固定した例について説明したが、例えば、偏心ピンを用いて衝撃吸収部材を第１の保持部材に固定し、偏心ピンの回動により衝撃吸収部材の位置を調整可能にしても良い。
【図面の簡単な説明】
【００２３】
【図１】本発明のミラー装置の一実施形態が配置されるカメラを示す説明図である。
【図２】図１のミラー装置の露光退避位置状態を示す説明図である。
【図３】図１のミラー装置の詳細を示す説明図である。
【図４】図３のミラー装置を示す側面図である。
【図５】図３のミラー装置の露光退避位置状態を示す側面図である。
【符号の説明】
【００２４】
１１…カメラ、１５…ミラー装置、２１…主ミラー、２３…サブミラー、４３…第１のミラー、４５…第１の保持部材、４７…衝撃吸収部材、４９…ピン部材、５１…第２のミラー、５３…第２の保持部材。
【図１】
2008090007.tif 000003
【図２】
2008090007.tif 000004
【図３】
2008090007.tif 000005
【図４】
2008090007.tif 000006
【図５】
2008090007.tif 000007